【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
撮像手段を有する電子装置であって、
前記電子装置の姿勢を検出する姿勢検出手段と、
前記姿勢検出手段により検出された姿勢に基づいて前記撮像手段で撮像された画像に特定の処理を施す処理手段と、
前記撮像手段で撮像される画像を予め定められた設定間隔に基づく間隔で記録するインターバル記録を行う記録制御手段と、
前記処理手段が、前記インターバル記録の際に、２回目以降に記録される画像に対して、１回目の画像の記録の際に用いられた姿勢の情報に基づいて前記特定の処理を施すように制御する制御手段と、を備えることを特徴とする電子装置。
【請求項２】
前記インターバル記録の開始指示をユーザーから受け付ける受付手段をさらに有し、
前記記録制御手段は、前記受付手段で受け付けた１回の前記開始指示に応じて前記間隔毎に複数回の画像の記録を行うように制御し、
前記１回目の画像の記録は、１回の前記開始指示に応じた前記複数回の画像の記録の１回目であることを特徴とする請求項１に記載の電子装置。
【請求項３】
前記設定間隔は５秒以上であることを特徴とする請求項１または２に記載の電子装置。
【請求項４】
前記設定間隔は、複数の選択肢からユーザーが選択して設定されることを特徴とする請求項１乃至３のいずれか1項に記載の電子装置。
【請求項５】
前記１回目の画像の記録の際に用いられた姿勢とは、前記インターバル記録の開始の指示の直前に前記姿勢検出手段が検出した姿勢であることを特徴とする請求項２に記載の電子装置。
【請求項６】
前記特定の処理は、前記検出された姿勢に基づいて撮像された画像を回転する回転処理であることを特徴とする請求項１乃至５のいずれか１項に記載の電子装置。
【請求項７】
前記回転処理は、前記検出された姿勢が前記電子装置の逆さ姿勢を示す場合に、前記撮像手段で撮像された画像を１８０度回転することを特徴とする請求項６に記載の電子装置。
【請求項８】
前記インターバル記録では、各回の画像の記録において１つの動画ファイルが記録されることを特徴とする請求項１乃至７のいずれか１項に記載の電子装置。
【請求項９】
前記インターバル記録では、各回の画像の記録において１つの静止画ファイルが記録されることを特徴とする請求項１乃至７のいずれか１項に記載の電子装置。
【請求項１０】
一連のインターバル記録で記録される複数のファイルは１つのフォルダに記録されることを特徴とする請求項８または９に記載の電子装置。
【請求項１１】
前記インターバル記録の際に用いられるパラメータを第１のメモリに保持する保持手段を更に備え、
前記インターバル記録は、前記第１のメモリに保持されている前記パラメータを用いて実行されることを特徴とする請求項１乃至１０のいずれか１項に記載の電子装置。
【請求項１２】
前記パラメータは、前記インターバル記録における１回目の画像の記録の際に前記姿勢検出手段で検出された姿勢を含み、
前記処理手段は、前記インターバル記録における２回目以降の画像の記録に際して、前記第１のメモリに保持されている姿勢を用いて前記特定の処理を実行することを特徴とする請求項１１に記載の電子装置。
【請求項１３】
前記パラメータは、前記インターバル記録における現在の撮影回数、前記インターバル記録の開始時間、前記設定間隔の少なくともいずれかを含むことを特徴とする請求項１１または１２に記載の電子装置。
【請求項１４】
前記インターバル記録における記録間において、前記電子装置を省電力状態へ移行させる省電力手段を更に備え、
前記保持手段は、前記省電力状態の間、前記省電力状態において記憶内容を維持することができない前記第１のメモリに記録されている前記パラメータを、前記省電力状態において記憶を維持することができる第２のメモリに退避させることを特徴とする請求項１１乃至１３のいずれか１項に記載の電子装置。
【請求項１５】
前記第２のメモリは、前記省電力状態においても電力の供給を受けて記録を維持することを特徴とする請求項１４に記載の電子装置。
【請求項１６】
前記第２のメモリは、電力が供給されなくても記録を維持する不揮発メモリであることを特徴とする請求項１４に記載の電子装置。
【請求項１７】
前記省電力手段は、前記インターバル記録の次の記録までの時間が所定時間を超えている場合に前記電子装置を前記省電力状態へ移行し、前記次の記録までの時間が前記所定時間以下の場合に前記電子装置を前記省電力状態へ移行しないことを特徴とする請求項１４乃至１６のいずれか１項に記載の電子装置。
【請求項１８】
前記省電力手段は、前記インターバル記録における記録回数が所定回数を超えるまでは、前記省電力状態への移行を実行しないことを特徴とする請求項１４乃至１７のいずれか１項に記載の電子装置。
【請求項１９】
前記省電力手段は、前記インターバル記録を開始してからの時間が所定時間を超えるまでは、前記省電力状態への移行を実行しないことを特徴とする請求項１４乃至１７のいずれか１項に記載の電子装置。
【請求項２０】
撮像手段を有する電子装置であって、
前記電子装置の姿勢を検出する姿勢検出手段と、
前記姿勢検出手段により検出された姿勢に基づいて前記撮像手段で撮像された画像に特定の処理を施し、該特定の処理で用いた姿勢を示す情報を前記画像に関連付ける記録処理手段と、
前記記録処理手段による画像の記録を予め定められた設定間隔に基づく間隔で実行するインターバル記録を行う記録制御手段と、
前記インターバル記録の終了後に、前記インターバル記録により記録された複数の画像を１つのファイルに結合する結合手段と、
前記結合手段が、前記複数の画像のそれぞれに関連づけられている姿勢を示す情報に基づいて前記特定の処理を施すように制御する制御手段と、を備えることを特徴とする電子装置。
【請求項２１】
撮像手段を有する電子装置の制御方法であって、
前記電子装置の姿勢を検出する姿勢検出工程と、
前記姿勢検出工程で検出された姿勢に基づいて前記撮像手段で撮像された画像に特定の処理を施す処理工程と、
前記撮像手段で撮像される画像を予め定められた設定間隔に基づく間隔で記録するインターバル記録を行う記録制御工程と、
前記処理工程で、前記インターバル記録の際に、２回目以降に記録される画像に対して、１回目の画像の記録の際に用いられた姿勢の情報に基づいて前記特定の処理を施すように制御する制御工程と、を有することを特徴とする電子装置の制御方法。
【請求項２２】
撮像手段を有する電子装置の制御方法であって、
前記電子装置の姿勢を検出する姿勢検出工程と、
前記姿勢検出工程において検出された姿勢に基づいて前記撮像手段で撮像された画像に特定の処理を施し、該特定の処理で用いた姿勢を示す情報を前記画像に関連付ける記録処理工程と、
前記記録処理工程において画像の記録を予め定められた設定間隔に基づく間隔で実行するインターバル記録を行う記録制御工程と、
前記インターバル記録の終了後に、前記インターバル記録により記録された複数の画像を１つのファイルに結合する結合工程と、
前記結合工程で、前記複数の画像のそれぞれに関連づけられている姿勢を示す情報に基づいて前記特定の処理を施すように制御する制御工程と、を有することを特徴とする電子装置の制御方法。
【請求項２３】
コンピュータを、請求項１乃至２０のいずれか１項に記載された電子装置の各手段として機能させるためのプログラム。
【請求項２４】
コンピュータを、請求項１乃至２０のいずれか１項に記載された電子装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
上記の目的を達成するための本発明の一態様による電子装置は以下の構成を備える。すなわち、
撮像手段を有する電子装置であって、
前記電子装置の姿勢を検出する姿勢検出手段と、
前記姿勢検出手段により検出された姿勢に基づいて前記撮像手段で撮像された画像に特定の処理を施す処理手段と、
前記撮像手段で撮像される画像を予め定められた設定間隔に基づく間隔で記録するインターバル記録を行う記録制御手段と、
前記処理手段が、前記インターバル記録の際に、２回目以降に記録される画像に対して、１回目の画像の記録の際に用いられた姿勢の情報に基づいて前記特定の処理を施すように制御する制御手段と、を備える。